(57)【特許請求の範囲】
【請求項１】
車内側の開口の上縁側周縁に折り畳まれて収納され、膨張用ガスの流入時に、前記開口とリヤピラー部の車内側とを覆うように、展開膨張し、
前記リヤピラー部の車内側を覆う膨張部の領域内に、車内側壁部と車外側壁部とを結合して上下方向に延びる複数の結合部が、下端を前記膨張部の周縁の非膨張部位から上方へ離し、上下方向に重なることなく前後方向に並設されて、配設されている頭部保護エアバッグ装置のエアバッグであって、
最前列の前記結合部を除いた少なくとも一つの前記結合部が、下端を、前記最前列の結合部の下端より、上方に位置させるとともに、前記膨張部の下縁側の周縁における前記非膨張部位からの上下方向の離隔距離を、前記最前列の結合部の下端側より、大きくして、配設され、
下端を前記最前列の結合部の下端より上方に位置させた前記結合部における下方に、前記最前列の結合部から、下端を上方に位置させた前記結合部の後方における結合部、若しくは、前記膨張部周縁の前記非膨張部位までに、前記最前列の結合部の下端と前記膨張部の下縁側の周縁における非膨張部位との間に形成される膨張部分より内径寸法を大きくして、前後方向に延びる形状の膨張部分が形成されるように構成されていることを特徴とする頭部保護エアバッグ装置のエアバッグ。
【請求項２】
製造時における製品形状となる製品形状部と該製品形状部の周縁の裁断代とを含めたエアバッグ素材から、前記製品形状部を裁断して切り取る裁断の基準点が、前記膨張部の後縁付近に設定されて、製造されていることを特徴とする請求項１に記載の頭部保護エアバッグ装置のエアバッグ。
【請求項３】
前記基準点が、前記膨張部の後縁を形成する非膨張部位の後端に、設定されていることを特徴とする請求項２に記載の頭部保護エアバッグ装置のエアバッグ。
【発明の詳細な説明】
【０００１】
【発明の属する技術分野】
本発明は、自動車に搭載される頭部保護エアバッグ装置のエアバッグに関し、詳しくは、車内側の開口の上縁側周縁に折り畳まれて収納され、膨張用ガスの流入時に、開口とリヤピラー部の車内側とを覆うように、展開膨張するエアバッグに関する。
【０００２】
【従来の技術とその課題】
従来、この種の頭部保護エアバッグ装置では、特開２０００−６７４９号公報等に記載されているように、エアバッグが、フロントピラー部からセンターピラー部を経てリヤピラー部まで延びるように、車内側の開口における上縁側の周縁に、折り畳まれて収納されていた。
【０００３】
そして、展開膨張時に開口とともにリヤピラー部の車内側を覆えるようにエアバッグを構成する場合には、膨張用ガスを流入させて膨張を完了させた際、極力、リヤピラー部の車内側を広く覆えるように、膨張用ガスを流入させた膨張部が、後方へ延びた状態で、展開膨張を完了させることが望ましい。
【０００４】
しかし、この種のエアバッグでは、展開膨張完了時に前後方向に作用する張力を生じさせて、車内側や車外側への揺動を防止できるように、膨張部の車内側壁部と車外側壁部とを結合して上下方向に延びる複数の結合部を、膨張部の領域内に、前後方向に並設させる必要があった。
【０００５】
しかしながら、リヤピラー部の車内側を覆うための膨張部にも、複数の上記結合部を並設させた場合には、展開膨張完了時の膨張部には、前後方向の張力が生ずるものの、膨張部が前後方向に収縮し、膨張完了時の膨張部の後端側を前方側に移動させてしまう結果を招くこととなり、リヤピラー部の車内側を広く覆う点に、改善の余地があった。
【０００６】
本発明は、上記の課題を解決するものであり、膨張完了時、前後方向に作用する張力を確保しつつ、リヤピラー部の車内側を広く覆うことができる頭部保護エアバッグ装置のエアバッグを提供することを目的とする。
【０００７】
【課題を解決するための手段】
本発明に係るエアバッグは、車内側の開口の上縁側周縁に折り畳まれて収納され、膨張用ガスの流入時に、前記開口とリヤピラー部の車内側とを覆うように、展開膨張し、
前記リヤピラー部の車内側を覆う膨張部の領域内に、車内側壁部と車外側壁部とを結合して上下方向に延びる複数の結合部が、下端を前記膨張部の周縁の非膨張部位から上方へ離し、上下方向に重なることなく前後方向に並設されて、配設されている頭部保護エアバッグ装置のエアバッグであって、
最前列の前記結合部を除いた少なくとも一つの前記結合部が、下端を、前記最前列の結合部の下端より、上方に位置させるとともに、前記膨張部の下縁側の周縁における前記非膨張部位からの上下方向の離隔距離を、前記最前列の結合部の下端側より、大きくして、配設され、
下端を前記最前列の結合部の下端より上方に位置させた前記結合部における下方に、前記最前列の結合部から、下端を上方に位置させた前記結合部の後方における結合部、若しくは、前記膨張部周縁の前記非膨張部位までに、前記最前列の結合部の下端と前記膨張部の下縁側の周縁における非膨張部位との間に形成される膨張部分より内径寸法を大きくして、前後方向に延びる形状の膨張部分が形成されるように構成されていることを特徴とする。
【０００８】
そして、エアバッグ製造時における製品形状となる製品形状部と製品形状部の周縁の裁断代とを含めたエアバッグ素材から、製品形状部を裁断して切り取る裁断の基準点は、前記膨張部の後縁付近に設定して、エアバッグを製造することが望ましく、さらに、前記基準点は、前記膨張部の後縁を形成する非膨張部位の後端に、設定することが望ましい。
【０００９】
【発明の効果】
本発明に係る頭部保護エアバッグ装置のエアバッグでは、膨張部に膨張用ガスが流入されれば、開口の上縁側周縁から下方に展開膨張して、車内側の開口とリヤピラー部の車内側とを覆うこととなる。
【００１０】
この時、リヤピラー部を覆う膨張部では、複数の結合部の内、最前列の結合部を除いた少なくとも一つの結合部が、下端を、最前列の結合部の下端より、上方に位置させて、配設されていることから、その下端を上方に位置させた結合部の下方には、その結合部の前方の結合部から後方における結合部若しくは膨張部周縁の非膨張部位までの広い膨張部分が形成されることとなる。この膨張部分は、リヤピラー部を覆う膨張部の下端で長く前後方向に延びる形状であって、リヤピラー部を覆う膨張部の下縁側における前後方向の長さ寸法の収縮を抑えて、膨張する。そのため、リヤピラー部を覆う膨張部は、後端側を極力前方へ移動させずに、膨張を完了させることができ、その結果、リヤピラー部を広く覆えることとなる。
【００１１】
勿論、リヤピラー部を覆う膨張部には、車内側壁部と車外側壁部とを結合して上下方向に延びる複数の結合部が、下端を上方に位置させた結合部を含めて、前後方向に並設されて、配設されていることから、前後方向の張力を確保することができる。
【００１２】
したがって、本発明に係る頭部保護エアバッグ装置のエアバッグでは、膨張完了時、前後方向に作用する張力を確保しつつ、リヤピラー部の車内側を広く覆うことができる。
【００１３】
そして、エアバッグ製造時における裁断の基準点を、膨張部の後縁付近に設定しておけば、リヤピラー部を覆う膨張部の後縁付近の寸法形状を、裁断時に正確に確保でき、リヤピラー部を覆う膨張部の膨張完了時の形状誤差を抑えることができる。
【００１４】
さらに、その基準点を、膨張部の後縁を形成する非膨張部位の後端に、設定すれば、一層、リヤピラー部を覆う膨張部の後縁付近の寸法形状を、裁断時に正確に確保できることとなって、リヤピラー部を覆う膨張部の膨張完了時の形状誤差を極力無くすことができる。
【００１５】
【発明の実施の形態】
以下、本発明の一実施形態を図面に基づいて説明する。
【００１６】
実施形態のエアバッグ１１は、図１に示す頭部保護エアバッグ装置Ｍに使用されるものであり、車内側のドアや窓部の開口Ｗの上縁側周縁におけるフロントピラー部ＦＰの下縁側、ルーフサイドレール部ＲＲの下縁側、及び、リヤピラー部ＲＰの上方側にわたって、折り畳まれて収納されている。
【００１７】
頭部保護エアバッグ装置Ｍは、エアバッグ１１、インフレーター４３、取付ブラケット３８・３９・４０・４４、及び、エアバッグカバー９、を備えて構成されている。
【００１８】
インフレーター４３は、図１・７に示すように、折り畳まれたエアバッグ１１に膨張用ガスを供給するシリンダタイプとしており、エアバッグ１１の後述するガス流入部１３が外装されることとなる。
【００１９】
取付ブラケット４４は、板金製として、エアバッグ１１の後述するガス流入部１３を外装させたインフレーター４３を、ガス流入部１３ごと外周側から挟持し、２本の取付ボルト４５を利用して、リヤピラー部ＲＰの車内側におけるボディ１側の板金製のインナパネル２に取り付けることとなる。
【００２０】
取付ブラケット３８は、図１・２に示すように、板金製として、エアバッグ１１における後述する前部側の２つの取付部１２を挟持するもので、それぞれ、車内側Ｉの内プレート３８ａと車外側Ｏの外プレート３８ｂとを備えて構成され、それらの内・外プレート３８ａ・３８ｂには、各取付部１２の取付孔１２ａに対応する取付孔３８ｃが貫通されている。そして、取付ボルト４１を、取付孔１２ａ・３８ｃに挿通させて、インナパネル２の取付孔２ａ周縁に固着されたナット２ｂに螺合させることにより、各取付部１２がインナパネル２に取り付けられることとなる。
【００２１】
取付ブラケット４０は、図１に示すように、板金製として、エアバッグ１１の後部側の二つの取付部１２を挟持するものであり、取付ブラケット３８の内プレート３８ａと同様な車内側に配置される二つの内プレート４０ａと、二つの内プレート４０ａの車外側に配置される一つの外プレート４０ｂと、を備えて構成されている。この外プレート４０ｂは、図３に示すように、折り畳まれたエアバッグ１１の車外側と下面側とを支持して、エアバッグ１１の展開膨張時にリヤピラー部ＲＰの車内側を覆うガーニッシュ６の車外側に侵入しないように、断面を略Ｌ字状としている。また、内・外プレート４０ａ・４０ｂには、取付部１２の取付孔１２ａに対応する位置に、取付ボルト４１を挿通させる取付孔（図符号省略）が貫通されている。
【００２２】
取付ブラケット３９は、図１に示すように、板金製として、エアバッグ１１の前後方向の中間部位の取付部１２を挟持するもので、取付ブラケット３８の内プレート３８ａと同様な車内側に配置される一つの内プレート３９ａを備えるとともに、車外側に配置される一つの外プレート３９ｂを備えて構成されている。この外プレート３９ｂも、外プレート４０ｂと同様に、折り畳まれたエアバッグ１１の車外側と下面側とを支持して、エアバッグ１１の展開膨張時にセンターピラー部ＣＰの車内側を覆うガーニッシュ７の車外側に侵入しないように、断面を略Ｌ字状としている。また、内・外プレート３９ａ・３９ｂには、取付部１２の取付孔１２ａに対応する位置に、取付ボルト４１を挿通させる取付孔（図符号省略）が貫通されている。
【００２３】
エアバッグカバー９は、図１〜３に示すように、フロントピラー部ＦＰに配置されるピラーガーニッシュ４とルーフサイドレール部ＲＲに配置されるルーフヘッドライニング５とのそれぞれの下縁側から構成されている。なお、フロントピラーガーニッシュ４とルーフヘッドライニング５とは、合成樹脂製として、フロントピラー部ＦＰとルーフサイドレール部ＲＲの車内側におけるボディ１のインナパネル２に取付固定されている。
【００２４】
エアバッグ１１は、ポリアミド糸やポリエステル糸等を使用した袋織りによって製造され、図１・４に示すように、インフレーター４３からの膨張用ガスを流入させて、折り畳み状態から展開して、開口Ｗを覆う本体部１４と、インフレーター４３からの膨張用ガスを本体部１４に導くガス流入部１３と、本体部１４の上縁１１ａ側に設けられる取付部１２と、を備えて構成されている。
【００２５】
ガス流入部１３は、本体部１４から後方へ突出するとともに、本体部１４の後述する後席用膨張部１６の流入口１７付近まで延びて、後述する連通膨張部２２の後端と連通するように配設されている。そして、ガス流入部１３のエアバッグ本体部１４から突出する部位は、インフレーター４３に外装されることとなる。
【００２６】
取付部１２は、本体部１４の上縁１１ａ側における後述する周縁部２５や板状部３４から上方へ突出するように、複数配置されて、インナパネル２に取り付けるための取付ブラケット３８・３９・４０が固着されることとなる。各取付部１２には、取付ボルト４１を挿通させる取付孔１２ａが開口されている。
【００２７】
本体部１４は、ガス流入部１３に連通して、膨張用ガスを流入させて車内側壁部１５ａ（図７・８参照）と車外側壁部１５ｂとを離すように膨張する膨張部１５と、膨張用ガスを流入させない非膨張部２４と、を備えて構成されている。
【００２８】
膨張部１５は、車両の後席側の位置に配置可能な後席用膨張部１６と、前席側の位置に配置可能な前席用膨張部２０と、ガス流入部１３に連通するとともに、前・後席用膨張部２０・１６の上部相互を連通する連通膨張部２２と、から構成されている。展開膨張完了時の後席用膨張部１６は、開口Ｗを覆うとともに、リヤピラー部ＲＰのリヤピラーガーニッシュ６の車内側も覆うように、構成されている。
【００２９】
非膨張部２４は、車内側壁部１５ａと車外側壁部１５ｂとを結合させたように構成されており、実施形態の場合、周縁部２５、結合部２７・２８・２９・３１・３２、及び、板状部３４、から構成されている。周縁部２５は、膨張部１５の周縁を囲むように配設されており、ガス流入部１３と後席用膨張部１６とを区画するように、後縁側から前方に延びる区画部２５ａも備えている。
【００３０】
板状部３４は、本体部１４の前部側の三角板状部３４ａと、前・後席用膨張部２０・１６との間における連通膨張部２２の下方の長方形板状部３４ｂと、を備えて構成されている。板状部３４は、ガス流入部１３から本体部１４の前部にかけての本体部１４の全体形状を確保するとともに、膨張部１５の容積を小さくして、膨張完了までの時間を短くするために設定されている。
【００３１】
なお、周縁部２５・結合部２７・２８・２９・３１・３２は、取付部１２とともに、板状部３４に比べて、密に織成され、板状部３４は、膨張部１５との境界部位でなく、膨張用ガスの漏れ対策を考慮しなくとも良いことから、粗く二枚状に織成されて、相互に部分的に点付けされている。なお、この板状部３４ａ・３４ｂのような構成部位は、実施形態の場合、エアバッグ上縁１１ａ側の取付部１２やガス流入部１３の近傍の部位３４ｃや、エアバッグ下縁１１ｂの膨張部１６・２０直下における周縁部２５の下方部位３４ｄにも、配設されている。
【００３２】
結合部２７・２８・２９は、前席用膨張部２０の領域内で、上下方向に延びるような略Ｔ字形状若しくは略逆Ｊ字形状に形成されて、周縁部２５から離れて車両の前後方向に並設されている。
【００３３】
結合部３１・３２は、後席用膨張部１６の領域内に延びるような略Ｉ字形状として、周縁部２５の区画部２５ａから下方へ延びて、上下方向に重なることなく、車両の前後方向に並設されている。
【００３４】
これらの結合部２７・２８・２９・３１・３２は、膨張部１５が膨張用ガスを流入させて膨張した際、前・後席用膨張部２０・１６の肉厚を略均等にするために、配設されるとともに、ガス流入部１３付近から本体部１４の前部にかけての前後方向に張力Ｔ（図１の二点鎖線参照）を発揮させて、本体部１４が、車内側や車外側への押圧力を受けても、揺動しないように、配設されている。
【００３５】
そして、図４・５に示すように、後席用膨張部１６の領域内に配置される結合部３１・３２では、最前列の結合部３１を除いた最後列側の結合部３２が、下端３２ａを、最前列の結合部３１の下端３１ａより、上方に位置させるととも、膨張部１６の下縁側の周縁における非膨張部２４（周縁部２５）からの上下方向の離隔距離を、最前列の結合部３１の下端３１ａ側より、大きくして、配設されている。実施形態の場合、下端３１ａより上方に位置する下端３２ａの上げ寸法Ｈは、５０mmとしている。
【００３６】
なお、ガス流入部１３に流入される膨張用ガスＧは、主流ＧＭが、連通膨張部２２内を前方に流れ、さらに、前席用膨張部２０の上部を前方側に流れることとなり、そして、主流ＧＭから分岐する分岐流Ｇ１・Ｇ２・Ｇ３・Ｇ４が、周縁部２５と結合部２７との間の開口２０ａ、結合部２７・２８間の開口２０ｂ、結合部２８・２９間の開口２０ｃ、結合部２９と周縁部２５との間の開口２０ｄから、それぞれ、下方に流れて、前席用膨張部２０を膨張させ、分岐流Ｇ５が、周縁部２５と区画部２５ａとの間の流入口１７から下方に流れて、後席用膨張部１６を膨張させることとなる。
【００３７】
このエアバッグ１１の製造方法を説明すると、図６のＡに示すように、まず、エアバッグ１１の製品形状となる製品形状部１０ａと製品形状部１０ａの周縁の裁断代１０ｂとを含めた形状のエアバッグ用素材１０を、袋織りにより製造する。実施形態の場合には、エアバッグ用素材１０は、幅方向に二つの製品形状部１０ａを並べ、かつ、長手方向で製品形状部１０ａの前後を逆転させつつ並べるように配設させて、帯状に織成している。また、袋織り時には、既述したように、周縁部２５・結合部２７〜２９・３１・３２・取付部１２を密に織成し、結合部２７〜２９・３１・３２を除いた膨張部１５とガス流入部１３とを車内側壁部１５ａと車外側壁部１５ｂとに分離させるように、袋状に織成し、かつ、周縁部２４の周囲や取付部１２間等の部位３４ａ・３４ｂ・３４ｃ・３４ｄを、粗く２枚状に織成しつつ相互に点付けするように、行っている。
【００３８】
その後、図６のＢ２示すように、レーザ加工（レーザカット）により、エアバッグ用素材１０から各製品形状部１０ａを裁断して切り取るとともに、各製品形状の取付部１２に取付孔１２ａを設ける。
【００３９】
この各製品形状部１０ａを裁断する際、実施形態では、後端側の取付部１２Ｂにおける取付孔１２ａｂの中心を、裁断時の基準点Ｘとしている。この基準点Ｘからエアバッグ素材１０の幅方向に延びる基準線ＬＸは、後席用膨張部１６の後端側に位置した非膨張部２４の周縁部２５における後縁部２５ｂの後縁２５ｃと、一致している。
【００４０】
そして、各製品形状部１０ａを裁断した後には、適宜、耐熱性を高めるとともに膨張用ガスの漏れを防止するように、シリコン等を塗布したコーティング層を設けて、エアバッグ１１を製造する。ちなみに、コーティング層は、織成後には、内周面側にコーティング剤を塗布できないことから、外周面側に形成する。
【００４１】
そして、適宜、コーティング層を設けた後、所定の折り機で折り畳む。この折り畳み状態は、実施形態の場合、図４の二点鎖線に示すように、順次、山折りと谷折りとの折目Ｃを入れて、エアバッグ下縁１１ｂ側をエアバッグ上縁１１ａに接近させるような蛇腹折りとしている。
【００４２】
折り畳んだ後には、折り崩れ防止用の破断可能なテープ３６（図１〜３参照）で、エアバッグ１１をくるむとともに、インフレーター４３・取付ブラケット３８・３９・４０・４４を取り付けて、エアバッグ組立体を形成する。なお、取付ブラケット３９・４０の部位には、エアバッグ１１と各取付ブラケット３９・４０とが分離しないように、破断可能なテープ３６をさらに巻いておく。
【００４３】
そして、各取付ブラケット３８・３９・４０・４４をインナパネル２の所定位置に配置させ、各取付孔１２ａ等を挿通させてボルト４１・４５止めし、各取付ブラケット３８・３９・４０・４４をインナパネル２に固定して、エアバッグ組立体をボディ１に取り付ける。ついで、フロントピラーガーニッシュ４やルーフヘッドライニング５をボディ１に取り付け、さらに、リヤピラーガーニッシュ６・センターピラーガーニッシュ７をボディ１に取り付ければ、エアバッグ１１が頭部保護エアバッグ装置Ｍとともに車両に搭載されることとなる。
【００４４】
エアバッグ装置Ｍの車両への搭載後、インフレーター４３が作動されれば、インフレーター４３からの膨張用ガスＧが、ガス流入部１３から膨張部１５の連通膨張部２２側に流れ、さらに、膨張用ガスＧの主流ＧＭが、分岐流Ｇ１・Ｇ２・Ｇ３・Ｇ４・Ｇ５に分岐され、各分岐流Ｇ１・Ｇ２・Ｇ３・Ｇ４・Ｇ５が前席用膨張部２０と後席用膨張部１６とに流れて、エアバッグ１１の膨張部１５が、折りを解消させつつ、膨張し始める。そして、エアバッグ１１は、くるんでおいたテープ３６を破断させ、さらに、フロントピラーガーニッシュ６やルーフヘッドライニング７の下縁側のエアバッグカバー９を押し開いて、図１〜３の二点鎖線で示すように、下方へ突出しつつ、開口Ｗ・Ｗとリヤピラー部ＲＰの車内側とを覆うように、大きく展開膨張することとなる。
【００４５】
そして、実施形態のエアバッグ１１では、リヤピラー部ＲＰを覆う後席用膨張部１６では、結合部３１・３２の内、最前列の結合部３１を除いた最後列側の結合部３２が、下端３２ａを、最前列の結合部３１の下端３１ａより、上げ寸法Ｈ分、上方に位置させるととも、膨張部１６の下縁側の周縁における非膨張部２４（周縁部２５）からの上下方向の離隔距離を、最前列の結合部３１の下端３１ａ側より、大きくして、配設されている。そのため、その下端３２ａを上方に位置させた結合部３２の下方には、図７に示すように、最前列の結合部３１の下端３１ａと膨張部１６の下縁側の周縁における非膨張部２４（周縁部２５）との間に形成される膨張部分より内径寸法を大きくして、結合部３２の前方の結合部３１から後方の膨張部１６周縁における非膨張部２４の周縁部後縁部２５ｂまでの広い膨張部分１８が形成されることとなる。
【００４６】
この膨張部分１８は、リヤピラー部ＲＰを覆う後席用膨張部１６の下端で長く前後方向に延びる形状であって、リヤピラー部ＲＰを覆う膨張部１６の下縁側における前後方向の長さ寸法Ｌ０の収縮を抑えて、膨張する。そのため、リヤピラー部ＲＰを覆う後席用膨張部１６は、後端側の後縁部２５ｂを極力前方へ移動させずに、膨張を完了させることができ、その結果、リヤピラー部ＲＰを広く覆えることとなる。
【００４７】
そして、リヤピラー部ＲＰを覆う後席用膨張部１６には、車内側壁部１５ａと車外側壁部１５ｂとを結合して上下方向に延びる結合部３１・３２が、前後方向に並設されて、配設されていることから、前後方向の張力Ｔを確保することもできる。
【００４８】
したがって、実施形態の頭部保護エアバッグ装置Ｍのエアバッグ１１では、膨張完了時、前後方向に作用する張力Ｔを確保しつつ、リヤピラー部ＲＰの車内側を広く覆うことができる。
【００４９】
ちなみに、結合部３２の下端３２ａを結合部３１の下端３１ａの位置まで延ばしたエアバッグを、展開膨張させた際には、図７の二点鎖線に示すように、後縁部２５ｂの上下方向の中間部位が、距離Ｌ１（約１０〜１５mm）分、前方に移動して、リヤピラーガーニッシュ６を覆う面積を狭めてしまった。
【００５０】
そして、実施形態のエアバッグ１１では、製造時における裁断の基準点Ｘを最後端の取付孔１２ａｂの中心に設定して、その基準点Ｘからエアバッグ素材１０の幅方向に延びる基準線ＬＸを、後席用膨張部１６の後端側における周縁部２５の後縁部２５ｂの後縁２５ｃに一致するように、設定している。そのため、リヤピラー部ＲＰを覆う後席用膨張部１６の後縁２５ｃの寸法形状を、裁断時に正確に確保でき、後席用膨張部１６の膨張完了時の形状誤差を抑えることができる。
【００５１】
なお、実施形態の場合には、裁断の基準点Ｘを、後席用膨張部１６の後端側における周縁部２５の後縁部２５ｂの後縁２５ｃに一致する位置（取付孔１２ａｂの中心）に設定したが、後席用膨張部１６の後縁２５ｃ付近に基準点Ｘを設ければ、ある程度、後席用膨張部１６の膨張完了時の形状誤差を抑えることができることから、例えば、ガス流入部１３の突出端や最後端の取付部１２Ｂの前縁や後縁等に、裁断時の基準点Ｘ１・Ｘ２・Ｘ３（図６参照）を設定しても良い。
【００５２】
ちなみに、実施形態のエアバッグ用素材１０に関して、幅方向で並んだ二つずつの製品形状部１０ａが、前後方向を一致させて、並設されており、幅方向に並んだ二つの基準点Ｘを基準に、二つの製品形状部１０ａを裁断できることから、幅方向に並んだ二つの製品形状部１０ａ・１０ａを、レーザ加工等で、同時に裁断するように構成すれば、二つの製品形状部１０ａ・１０ａにおける後席用膨張部１６の膨張完了時の形状誤差を一層無くして、効率よく裁断してエアバッグ１１を製造することができる。
【００５３】
なお、実施形態のエアバッグ１１では、リヤピラー部ＲＰの車内側を覆う膨張部の結合部３１・３２の数を二つとした場合を示したが、図９に示すように、三つ以上の結合部３１・３２・３３を膨張部１６に設けても良く、その場合には、最前列の結合部３１を除いた結合部３２・結合部３３の内の選択した一つの下端３２ａ、若しくは、適宜、複数を選択した場合の結合部３２・３３の下端３２ａ・３３ａを、最前列の結合部３１の下端３１ａより、上方に位置させれば良い。
【００５４】
また、結合部３１・３２・３３として、図例では、直線状に上下方向に延びる形状を例示したが、これらの結合部３１・３２・３３は、曲線状に上下方向に延びるように構成しても良い。勿論、前席用膨張部２０内の結合部２７・２８・２９も、同様に、上下方向に延びる曲線状に形成しても良い。
【００５５】
さらに、実施形態では、リヤピラー部ＲＰを覆う膨張部１６に、前部側に流入口１７を設けた場合を示したが、図１０に示す膨張部１６のように、後部側に、流入口１７を配設させても良い。
【００５６】
さらに、実施形態のエアバッグ１１では、袋織りによって製造したものを示したが、縫製、接着剤を使用する接着、高周波ウェルダ等を使用する溶着等を利用して、エアバッグを製造しても良く、その場合に設ける結合部に本発明を応用しても良い。
【図面の簡単な説明】
【図１】本発明に係る一実施形態のエアバッグが使用される頭部保護エアバッグ装置の使用態様を示す車内側から見た概略正面図である。
【図２】図１のII−II部位の概略拡大縦断面図である。
【図３】図１のIII−III部位の概略拡大縦断面図である。
【図４】同実施形態のエアバッグを平らに展開した状態を示す正面図である。
【図５】同実施形態のエアバッグを平らに展開した状態の後部側を示す拡大正面図である。
【図６】同実施形態のエアバッグの製造工程を説明する図である。
【図７】展開膨張完了時の実施形態のエアバッグの後部側を、車内側から見た拡大正面図である。
【図８】図７のVIII−VIII部位におけるエアバッグの横断面図である。
【図９】他の実施形態のエアバッグにおける図５に相当する部分正面図である。
【図１０】さらに他の実施形態のエアバッグにおける図５に相当する部分正面図である。
【符号の説明】
１１…エアバッグ、
１５ａ…車内側壁部、
１５ｂ…車外側壁部、
１６…後席用膨張部、
２４…非膨張部、
２５ｂ…後縁部、
２５ｃ…後縁、
３１・３２・３３…結合部、
３１ａ・３２ａ・３３ａ…下端、
Ｘ…基準点、
ＲＰ…リヤピラー部、
Ｗ…開口、
Ｍ…頭部保護エアバッグ装置。
【図１】
0003757328.tif 000002
【図２】
0003757328.tif 000003
【図３】
0003757328.tif 000004
【図４】
0003757328.tif 000005
【図５】
0003757328.tif 000006
【図６】
0003757328.tif 000007
【図７】
0003757328.tif 000008
【図８】
0003757328.tif 000009
【図９】
0003757328.tif 000010
【図１０】
0003757328.tif 000011